(57)【特許請求の範囲】
【請求項１】
ディスプレイ装置のシャッターめがねにおいて、
３次元映像を表示するディスプレイ装置から第１同期信号を受信するシャッターめがね通信部と；
前記第１同期信号を第２同期信号へ変換し、かつ、前記第２同期信号に基づいて前記シャッターめがねの左眼レンズ部及び右眼レンズ部のオン／オフ（On／Off）駆動信号を生成するシャッターめがね制御部と；
を含み、
前記第１同期信号は、所定のパターンに従って前記第２同期信号中の少なくとも１つの同期パルスを省略することによって前記ディスプレイ装置内に生成され、その結果、前記第１同期信号の周波数は、前記ディスプレイ装置から前記シャッターめがねへ送信される間に、低下し、かつ、
前記第２同期信号は、複数の同期パルスを有し、かつ、前記３次元映像に対応するように生成され、
前記シャッターめがね制御部は、前記第１同期信号に同期して前記オン／オフ駆動信号を生成し、前記所定のパターンに従って前記第１同期信号から前記省略された同期パルスを復元することによって前記第１同期信号を前記第２同期信号へ変換する、ことを特徴とするシャッターめがね。
【請求項２】
前記シャッターめがね制御部は、前記パターンに従って前記左眼レンズ部及び前記右眼レンズ部の光透過率が調節されるように前記オン／オフ駆動信号を制御することを特徴とする請求項１に記載のシャッターめがね。
【請求項３】
前記光透過率は、前記左眼レンズ部及び右眼レンズ部のオン（On）駆動信号のデューティー幅に従って調節されることを特徴とする請求項２に記載のシャッターめがね。
【請求項４】
前記第１同期信号は、複数のキャリアパルス列が周期的に続くパターンを含むことを特徴とする請求項１に記載のシャッターめがね。
【請求項５】
前記キャリアパルス列は、連続される二つ乃至五つのパルスを含むことを特徴とする請求項４に記載のシャッターめがね。
【請求項６】
前記シャッターめがね制御部は、前記第１同期信号の同期パルス幅に従って同期信号の正常可否またはノイズ可否を判断することを特徴とする請求項１に記載のシャッターめがね。
【請求項７】
３次元映像を表示し、前記表示される３次元映像に対応して作動するシャッターめがねを備えるディスプレイ装置において、
映像信号を受信する映像受信部と；
前記映像受信部に受信される映像信号を映像で表示されるように処理する映像処理部と；
前記映像処理部で処理される映像信号を映像で表示するディスプレイ部と；
前記シャッターめがねと通信するディスプレイ装置通信部と；
３次元映像の表示タイミングに対応する複数の同期パルスを含む第１同期信号を生成し、前記第１同期信号をシャッター制御同期信号へ変換し、前記シャッター制御同期信号を前記シャッターめがねへ送信するディスプレイ装置制御部であって、前記ディスプレイ装置内で３次元映像を表示するタイミングに対応する少なくとも１つの同期パルスが、前記第１同期信号の波形に基づいて補正され、かつ、前記シャッター制御同期信号に基づいて前記シャッターめがねを作動させる、ディスプレイ装置制御部と；
を含み、
前記シャッター制御同期信号は、所定のパターンに従って前記第１同期信号中の少なくとも１つの同期パルスを省略することによって前記ディスプレイ装置内に生成され、その結果、前記シャッター制御同期信号の周波数は、前記ディスプレイ装置から前記シャッターめがねへ送信される間に、低下し、かつ、
前記シャッターめがねは、前記シャッター制御同期信号に基づいて前記省略された同期パルスを復元する、
ことを特徴とするディスプレイ装置。
【請求項８】
前記シャッター制御同期信号の既設定された波形は、前記３次元映像の表示タイミングに対応するシンクの中で、既設定されたシンクパターンに従って少なくとも一部のシンクが省略されて現れることを特徴とする請求項７に記載のディスプレイ装置。
【請求項９】
前記シャッター制御同期信号は、左眼映像フィールド及び右眼映像フィールドを含む３次元映像のフレーム表示タイミング、または前記のフィールドの表示タイミングに対応するシンクの中で少なくとも一部の前記シンクが省略されたことを特徴とする請求項８に記載のディスプレイ装置。
【請求項１０】
前記シンクパターンは、複数が設けられ、
前記ディスプレイ装置制御部は、前記シャッター制御同期信号の生成時に前記複数のシンクパターンの中でいずれか一つを選択することを特徴とする請求項８に記載のディスプレイ装置。
【請求項１１】
前記ディスプレイ装置制御部は、前記映像受信部に受信される映像信号の特性に従って前記シャッターめがねの作動方式に関する複数の作動モードの中でいずれか一つを選択し、前記選択された作動モードに対応する前記シンクパターンを選択することを特徴とする請求項１０に記載のディスプレイ装置。
【請求項１２】
前記複数の作動モードは、それぞれ前記シャッターめがねの光透過率に従って分けられることを特徴とする請求項１１に記載のディスプレイ装置。
【請求項１３】
前記ディスプレイ装置制御部は、前記３次元映像の表示タイミングに対応する各シンク周期に従って前記作動モードを選択することを特徴とする請求項１１に記載のディスプレイ装置。
【発明の詳細な説明】
【技術分野】
【０００１】
本発明は、３次元映像に対応して選択的な光透過が行われるように作動するシャッターめがね、ディスプレイ装置及びこの制御方法に係り、さらに詳しくは、シャッターめがねの作動のための同期信号の通信構造が改善されたシャッターめがね、ディスプレイ装置及びこの制御方法に関する。
【背景技術】
【０００２】
一般的に、ディスプレイシステムのディスプレイ装置は、映像供給源から入力される入力映像信号を処理してこれを液晶などで具現されるディスプレイパネル（display  Panel）上に映像に表示する。ディスプレイ装置は、映像をパネル上に表示するために映像情報を含む走査ラインをパネル上に走査し、このように走査された走査ラインがパネル上で順次に配置されることによって一つの映像フレーム（frame）を構成するようにする。
【０００３】
ディスプレイ装置が表示する映像は、その特性に従って２次元映像と３次元映像に分けることができる。ユーザーは、両目による視野角度が異なるので事物の３次元的立体を認知する。このような原理によって、３次元映像は、左眼映像と右眼映像が区分されてディスプレイ装置に表示され、ディスプレイシステムは、これに対応してユーザーの両眼に対する選択的光透過を行うことができる３次元めがねを備える。３次元めがねは、電圧引加可否に従って光を選択的に透過させるシャッターめがね、または既設定された偏光方向の光を透過することができる偏光めがねで具現される。
【０００４】
このような３次元めがねがシャッターめがねで具現される場合、ディスプレイ装置は、表示される３次元映像に対応する同期信号を生成してシャッターめがねに送信し、シャッターめがねは、受信されるこの同期信号に従って作動することによってユーザーの両眼に対する映像透過を選択的に行う。
【発明の開示】
【発明が解決しようとする課題】
【０００５】
従って、本発明の目的は、ディスプレイ装置からシャッターめがねに同期信号を送信する過程で、同期信号に対するエラーを最小化することである。
【課題を解決するための手段】
【０００６】
本発明の実施形態によるディスプレイ装置のシャッターめがねは、３次元映像を表示するディスプレイ装置から第１同期信号を受信するシャッターめがね通信部と；前記第１同期信号に基づいて前記シャッターめがねの左眼レンズ部及び右眼レンズ部のオン／オフ（On／Off）駆動信号を生成するシャッターめがね制御部と；を含み、前記第１同期信号は、前記３次元映像のフレーム駆動周波数に従って前記３次元映像の表示に使用される第２同期信号で少なくとも一つ以上の同期パルスが周期的に省略されたパターンを有し、前記シャッターめがね制御部は、前記第１同期信号に同期して前記オン／オフ駆動信号を生成し、前記第１同期信号の時間間隔に従って前記省略された同期パルスに当たる区間で前記オン／オフ駆動信号を予測して生成することを特徴とする。
【０００７】
ここで、前記シャッターめがね制御部は、前記パターンに従って前記左眼レンズ部及び前記右眼レンズ部の光透過率が調節されるように前記オン／オフ駆動信号を制御することができる。
【０００８】
ここで、前記光透過率は、前記左眼レンズ部及び右眼レンズ部のオン（on）駆動信号のデューティー幅に従って調節されることができる。
【０００９】
また、前記第１同期信号は、複数のキャリアパルス列が周期的に続くパターンを含むことができる。
【００１０】
ここで、前記キャリアパルス列は、連続される二つ乃至五つのパルスを含むことができる。
【００１１】
また、前記シャッターめがね制御部は、前記第１同期信号の同期パルス幅に従って同期信号の正常可否またはノイズ可否を判断することができる。
【００１２】
また、本発明の実施形態による３次元映像を表示し、前記表示される３次元映像に対応して作動するシャッターめがねを備えるディスプレイ装置は、映像信号を受信する映像受信部と；前記映像受信部に受信される映像信号を映像で表示されるように処理する映像処理部と；前記映像処理部で処理される映像信号を映像で表示するディスプレイ部と；前記シャッターめがねと通信するディスプレイ装置通信部と；前記ディスプレイ部に３次元映像が表示される時に既設定された波形を有する第１同期信号を生成し、前記シャッターめがねで前記既設定された波形に基づいて前記第１同期信号を前記３次元映像の表示タイミングに対応するシンクが補正されたシャッター制御同期信号に変換して前記シャッターめがねが前記シャッター制御同期信号に基づいて作動するように、前記ディスプレイ装置通信部を通じて前記第１同期信号を前記シャッターめがねに送信させるディスプレイ装置制御部と；を含むことを特徴とする。
【００１３】
ここで、前記第１同期信号の既設定された波形は、前記３次元映像の表示タイミングに対応するシンクの中で、既設定されたシンクパターンに従って少なくとも一部のシンクが省略されて現われることができる。
【００１４】
ここで、前記第１同期信号は、左眼映像フィールド及び右眼映像フィールドを含む３次元映像のフレーム表示タイミング、または前記フィールドの表示タイミングに対応するシンクの中で少なくとも一部の前記シンクが省略されることができる。
【００１５】
また、前記シンクパターンは、複数が設けられ、前記ディスプレイ装置制御部は、前記第１同期信号の生成時に前記複数のシンクパターンの中でいずれか一つを選択することができる。
【００１６】
ここで、前記ディスプレイ装置制御部は、前記映像受信部に受信される映像信号の特性に従って前記シャッターめがねの作動方式に関する複数の作動モードの中でいずれか一つを選択し、前記選択された作動モードに対応する前記シンクパターンを選択することができる。
【００１７】
ここで、前記複数の作動モードは、それぞれ前記シャッターめがねの光透過率に従って分けられることができる。
【００１８】
また、前記ディスプレイ装置制御部は、前記３次元映像の表示タイミングに対応する各シンク周期に従って前記作動モードを選択することができる。
【発明の効果】
【００１９】
前述のように、本発明によると、ディスプレイ装置からシャッターめがねに送信される同期信号の周波数を低めることによって、他の電子装置からの通信干渉を減らし、電力消耗を節減することができる。
【００２０】
また、同期信号がディスプレイ装置からシャッターめがねに送信される過程でノイズなどのようなエラーによって同期パルスが一部損失される場合にも、シャッターめがねが正常に作動することができる。
【図面の簡単な説明】
【００２１】
【図１】本発明の実施形態によるディスプレイシステムの例示図である。
【図２】図１のディスプレイシステムの制御構成ブロック図である。
【図３】図１のディスプレイシステムで、シャッターめがねの各作動モードに対応するシンクパターンを反映した同期信号の例示図である。
【図４】図３の同期信号の同期パルスの具現例示図である。
【図５】図１のディスプレイシステムでディスプレイ装置の制御方法を示す制御フローチャートである。
【図６】図１のディスプレイシステムでシャッターめがねの制御方法を示す制御フローチャートである。
【発明を実施するための最良の形態】
【００２２】
以下、添付図面を参照して本発明に対して詳しく説明する。以下の実施形態では、本発明の思想と直接的な関連のある構成に対して説明し、その以外の構成については説明を省略する。しかし、本発明の思想が適用されたディスプレイシステム１の具現のためには、このように説明が省略された構成が不要なことを意味するのではないことを明らかにする。
【００２３】
図１は、本発明の実施形態によるディスプレイシステム１の例示図である。
【００２４】
図１に示すように、本の実施形態によるディスプレイシステム１は、外部から入力される映像信号を処理して映像で表示するディスプレイ装置１００と、ディスプレイ装置１００に表示される映像が３次元映像である場合に、これに対応して光を選択的に透過または遮断するように動作するシャッターめがね２００と、を含む。
【００２５】
ディスプレイ装置１００は、外部の映像供給源（図示せず）から映像信号を受信する。このような映像供給源は限られず、ディスプレイ装置１００は、ＣＰＵ（図示せず）及びグラフィックカード（図示せず）を有して映像信号を生成しこれをローカル（local）に提供するコンピューター本体（図示せず）、映像信号をネットワークに提供するサーバー（図示せず）、空中波またはケーブルを利用して放送信号を送り出す放送局の送出装置（図示せず）など、多様な映像供給源から映像信号が供給されることができる。
【００２６】
ディスプレイ装置１は、外部から２次元映像信号または３次元映像信号が受信されるによって、これを処理して映像で表示する。ここで、３次元映像は、２次元映像ににず、一つの映像フレーム（frame）にユーザーの左眼に対応する左眼映像フィールド（filed）及びユーザーの右眼に対応する右眼映像フィールドが含まれる。本実施形態によるディスプレイ装置１は、３次元映像信号を受信すれば、これに基づいて左眼映像フィールドと右眼映像フィールドを交代で表示する。
【００２７】
シャッターめがね２００は、ディスプレイ装置１に３次元映像が表示される場合、現在左眼映像フィールドまたは右眼映像フィールドの中でいずれが表示されるのか可否に対応してユーザーの左眼または右眼に対する視野を選択的に開放したり遮断したりする。即ち、ディスプレイ装置１００に左眼映像フィールドが表示されている場合に、シャッターめがね２００は、左眼の視野を開放し右眼の視野を遮断する。反対に、ディスプレイ装置１００に右眼映像フィールドが表示されている場合に、シャッターめがね２００は、右眼の視野を開放し左眼の視野を遮断する。
【００２８】
このようにディスプレイ装置１００に表示される映像及びシャッターめがね２００の動作を相互に対応させるために、ディスプレイ装置１００は、映像表示タイミングに対応する同期信号を生成してシャッターめがね２００に送信し、シャッターめがね２００は、受信される同期信号に基づいて動作する。
【００２９】
以下、ディスプレイ装置１００及びシャッターめがね２００の各構成に関して図２を参照して説明する。図２は、ディスプレイ装置１００及びシャッターめがね２００の制御関係を示す構成ブロック図である。
【００３０】
図２に示すように、ディスプレイ装置１００は、映像信号を受信する映像受信部１１０と、映像受信部１１０に受信される映像信号を処理する映像処理部１２０と、映像処理部１２０によって処理される映像信号を映像で表示するディスプレイ部１３０と、ディスプレイ部１３０に３次元映像が表示される場合にこれに対応する駆動信号を生成する信号生成部１４０と、信号生成部１４０で生成される駆動信号をシャッターめがね２００に送信するようにシャッターめがね２００と通信するディスプレイ装置通信部１５０と、これらの構成要素の動作を制御するディスプレイ装置制御部１６０と、を含む。
【００３１】
また、シャッターめがね２００は、ディスプレイ装置通信部１５０と通信して同期信号を受信するシャッターめがね通信部２１０と、ユーザーの左眼及び右眼に対してそれぞれ光透過させるように作動する左眼レンズ部２２０及び右眼レンズ部２３０と、シャッターめがね通信部２１０に受信される同期信号に基づいて左眼レンズ部２２０及び右眼レンズ部２３０を作動させるシャッターめがね制御部２４０と、を含む。
【００３２】
このような構成の本発明の実施形態によると、ディスプレイ装置制御部１６０は、ディスプレイ部１３０に３次元映像が表示される時に既設定された波形を有する同期信号を生成してシャッターめがね２００に送信する。この同期信号の波形は、３次元映像の表示タイミングに対応するシンク（sync）または同期パルス（sync  pulse）、さらに詳しくは、オン（on）信号、イネーブル（enable）信号、及びキャリアパルス（carrier  pulse）の中で既設定されたシンクパターン（pattern）に従って少なくとも一つ以上の一部同期パルスが周期的に省略されて現われる。
【００３３】
また、シャッターめがね制御部２４０は、ディスプレイ装置１００から受信される同期信号から波形を分析し、分析された波形に基づいて同期信号から省略された同期パルスを復元することによってオン／オフ（On／Off）駆動信号を生成し、この生成されたオン／オフ駆動信号に従って左眼レンズ部２２０及び右眼レンズ部２３０の作動を制御する。
【００３４】
これによって、ディスプレイ装置１００からシャッターめがね２００に送信される同期信号の周波数を低めることによって、他の電子装置との通信干渉を減らし電力消耗を節減することができる。また、シャッターめがね２００で省略された同期パルスを復元することによって、ノイズ（noise）等のようなエラーによって同期パルスの一部が損失される場合にもシャッターめがね２００が正常的に作動することができる。
【００３５】
以下、ディスプレイ装置１００の各構成要素に対して説明する。
【００３６】
映像受信部１１０は、映像信号を受信して映像処理部１２０に伝達し、受信する映像信号の規格及びディスプレイ装置１００の具現形態に対応して多様な方式で具現されることができる。
【００３７】
例えば、ディスプレイ装置１００がＴＶで具現される場合、映像受信部１１０は、放送局（図示せず）から送出されるＲＦ（radio  frequency）信号を無線で受信したり、コンポジット（composite）ビデオ、コンポーネント（component）ビデオ、スーパー（super）ビデオ、ＳＣＡＲＴ、ＨＤＭＩ（high  definition  multimedia  interface）規格などによる映像信号を有線で受信することができる。映像受信部１１０は、映像信号が放送信号である場合、この放送信号をチャンネル別にチューニングするチューナー（tuner）を含む。
【００３８】
ディスプレイ装置１００がコンピューターモニターである場合に映像受信部１１０は、ＶＧＡ方式によるＲＧＢ信号を伝達することができるＤ−ＳＵＢや、ＤＶＩ（digital  video  interactive）規格によるＤＶＩ−Ａ（analog）、ＤＶＩ−Ｉ（integrated  digital/analog）、ＤＶＩ−Ｄ（digital）や、ＨＤＭＩ規格などで具現されることができる。または、映像受信部１１０は、ディスプレイポート（DisplayPort）、ＵＤＩ（unified  display  interface）、またはワイヤレス（wireless）ＨＤなどで具現されることもできる。
【００３９】
映像処理部１２０は、映像信号に対して既設定された多様な映像処理プロセスを行う。映像処理部１２０は、このようなプロセスを行って映像信号をディスプレイ部１３０に出力することによって、ディスプレイ部１３０に映像が表示されるようにする。
【００４０】
映像処理部１２０が行う映像処理プロセスの種類は限られず、例えば多様な映像フォーマットに対応するデコーディング（decoding）及びエンコード（encoding）、デ−インタレーシング（de-interlacing）、フレームリフレッシュレート（frame  refresh  rate）変換、スケーリング（scaling）、映像画質改善のためのノイズ減少（noise  reduction）、デテールエンハンスメント（detail  enhancement）、ラインスキャニング（line  scanning）等を含むことができる。映像処理部１２０は、このような各プロセスを独自的に行うことができる個別的構成で具現されたり、色々な機能を統合させた一体型構成で具現されたりすることができる。
【００４１】
映像処理部１２０は、映像信号を各フレーム別に複数の水平走査ラインで処理してディスプレイ部１３０に走査する。映像処理部１２０は、ディスプレイ部１３０の表示領域の上側から下側に映像を走査し、一つのフレームの走査が完了すれば、既設定された非走査時間以後に次のフレームの映像を走査する。
【００４２】
映像処理部１２０は、映像受信部１１０から３次元映像に対応する映像信号が伝達されれば、左眼映像フィールド及び右眼映像フィールドそれぞれに対応する映像信号を交代でディスプレイ部１３０に走査する。従って、非走査時間にディスプレイ部１３０には左眼映像フィールド及び右眼映像フィールドが交代で表示される。
【００４３】
ディスプレイ部１３０は、その具現方式が限られず、例えば液晶ディスプレイパネルで具現され、映像処理部１２０によって処理される映像信号が映像で表示される。ディスプレイ部１３０は、映像処理部１２０から走査される複数の水平走査ラインが垂直で配列されることによって映像フレームまたは映像フィールドを表示することができる。
【００４４】
信号生成部１４０は、ディスプレイ装置制御部１６０の制御によって、ディスプレイ部１３０に表示される３次元映像の表示タイミングと同期化された同期信号を生成してディスプレイ装置通信部１５０に伝達する。
【００４５】
ディスプレイ装置通信部１５０は、ディスプレイ装置制御部１６０の制御によって、信号生成部１４０から伝達された同期信号を適切なタイミングにシャッターめがね２００に送信する。ディスプレイ装置通信部１５０は、同期信号を送信する時に、赤外線、可視光線、紫外線などの多様な方式を適用することができる。
【００４６】
ディスプレイ装置制御部１６０は、ディスプレイ部１３０に表示される３次元映像フレームの駆動周波数に従って映像フレームの表示タイミングと同期化された第１同期信号を生成する。また、ディスプレイ装置制御部１６０は、この第１同期信号を既設定された波形を有する第２同期信号に変換し、この第２同期信号がディスプレイ装置通信部１５０を通じて送信されるようにする。ここで、第１同期信号及び第２同期信号の名称は、実施形態を説明するために便宜上指称したこととして、その名称は多様に適用されることができるので、このような名称が本発明の思想を限定しない。
【００４７】
ディスプレイ装置制御部１６０が第１同期信号を第２同期信号に変換する方法は次のようである。３次元映像に対応する第１同期信号は、各映像フレームの表示タイミングにそれぞれ対応する同期パルスが時糸列的に現われる。ここで、ディスプレイ装置制御部１６０は、第１同期信号に含まれる複数の同期パルスの中で時間間隔に従って一部の同期パルスを略するシンクパターンが既設定されている。
【００４８】
このようなシンクパターンは、複数が既設定されることができる。
【００４９】
映像受信部１１０に受信される映像信号の特性、例えばＮＴＳＣ、ＰＡＬ等のような映像信号の規格や、３次元映像の表示タイミングに対応する各シンクの周期、すなわち同期パルスの時間的周期幅に従ってシャッターめがね２００の左眼レンズ部２２０及び右眼レンズ部２３０の光透過率が相違して設けられる。これは表示映像に従って発生することができるクロストーク（cross-talk）現象を防止するためである。
【００５０】
即ち、シャッターめがね２００は、ディスプレイ装置１００に受信される映像信号の特性に従って異なる光透過率で動作する複数の作動モードを有するので、ディスプレイ装置制御部１６０に設けられた前記の複数のシンクパターンはシャッターめがね２００の複数の作動モードそれぞれに対応する。
【００５１】
ディスプレイ装置制御部１６０は、映像受信部１１０に受信される映像信号の特性に従って、シャッターめがね２００の作動方式に関する複数の作動モードの中でいずれか一つの作動モードを選択する。また、ディスプレイ装置制御部１６０は、複数の既設定されたシンクパターンの中で、選択された作動モードに対応するいずれか一つのシンクパターンを選択する。
【００５２】
ディスプレイ装置制御部１６０は、第１同期信号において時糸列的に所定の周期に従って配置された同期パルスの中で、選択したシンクパターンに従って一部同期パルスを略することによって第１同期信号を第２同期信号に変換する。ディスプレイ装置制御部１６０は、変換された第２同期信号をディスプレイ装置通信部１５０を通じてシャッターめがね２００に送信させる。
【００５３】
前述した実施形態では第１同期信号の同期パルスが各映像フレームの表示タイミングに対応するように表現したが、本発明の思想はこれに限られない。例えば、第１同期信号の同期パルスは、左眼映像フィールド及び右眼映像フィールドそれぞれの表示タイミングに対応して、左眼映像フィールド及び右眼映像フィールドそれぞれに対応する同期パルスの幅が相違して設けられることによって各フィールドを区別するように設けられることもできる。
【００５４】
以下、シャッターめがね２００の各構成要素に関して説明する。
【００５５】
シャッターめがね通信部２１０は、ディスプレイ装置通信部１５０の通信規格に対応するように設けられ、ディスプレイ装置通信部１５０から送信される第２同期信号を受信してシャッターめがね制御部２４０に伝達する。
【００５６】
左眼レンズ部２２０及び右眼レンズ部２３０は、シャッターめがね制御部２４０からの制御に従って選択的に光透過または光遮断されるように作動する。このように左眼レンズ部２２０及び右眼レンズ部２３０がユーザーの左眼及び右眼に対する光透過を選択的に行うことによって、ユーザーは、ディスプレイ部１３０に表示される左眼映像及び右眼映像を左眼及び右眼を通じてそれぞれ認知することができる。
【００５７】
左眼レンズ部２２０及び右眼レンズ部２３０の具現方式は限定されないが、シャッターめがね制御部２４０から電圧が引加される時に光透過を遮断し、電圧が引加されない時に光透過を許容する液晶レンズで具現されることができる。しかし、これは一例に過ぎず、左眼レンズ部２２０及び右眼レンズ部２３０は、電圧が引加される時に光透過を許容し、電圧が引加されない時に光透過を遮断するように設けられることもできる。また、左眼レンズ部２２０及び右眼レンズ部２３０は、引加される電圧レベルに従って異なる光透過率を有することができる。
【００５８】
シャッターめがね制御部２４０は、シャッターめがね通信部２１０に第２同期信号が受信されれば、第２同期信号の波形を分析し、分析された波形が既設定された複数の波形の中でいずれに当たるのか判断する。前述した既設定された波形には、これに対応するシャッターめがね２００の作動モードが指定されている。本実施形態によれば、既設定された波形は、３次元映像の表示タイミングに対応する同期パルスの中で一部が周期的に省略されるシンクパターンを意味する。
【００５９】
即ち、シャッターめがね制御部２４０は、第２同期信号のシンクパターンに対応する既設定されたシンクパターンを選択する。また、その選択結果に基づいて、シャッターめがね制御部２４０は、第２同期信号で省略された同期パルスを復元してオン／オフ駆動信号、即ちシャッター制御同期信号を生成し、シャッターめがね２００の作動モードを選択する。
【００６０】
シャッターめがね制御部２４０は、このように選択された作動モードとして、生成されたシャッター制御同期信号に従って左眼レンズ部２２０及び右眼レンズ部２３０を作動させる。シャッターめがね制御部２４０は、左眼レンズ部２２０及び右眼レンズ部２３０を作動させるタイミングを合わせる時に第２同期信号の同期パルスに同期させることによって、第２同期信号とオン／オフ信号の間のタイミング誤差を補正することができる。
【００６１】
以下、ディスプレイ装置１００から送信される第２同期信号をシャッターめがね２００でオン／オフ信号に変換する例示に対して図３を参照して詳しく説明する。
【００６２】
図３は、３次元映像のフレーム及びフィールドの表示タイミングに対応する同期信号を示す例示図である。図３で横軸は時間の経過を意味する。
【００６３】
図３の（１）は、映像フレームを意味し、時間経過に従ってＦ０１、Ｆ０２、Ｆ０３、Ｆ０４、Ｆ０５の映像フレームが順次に表示される。
【００６４】
図３の（２）は、各映像フレームが含む映像フィールドの表示を意味する。各映像フレーム、例えばＦ０１は、左眼映像フィールドであるＬ０１及び右眼映像フィールドであるＲ０１を含み、時間的にＬ０１がＲ０１に先行して表示される。図４の（１）のように五つの映像フレームを考慮すれば、左眼映像フィールド五つ及び右眼映像フィールド五つが交番的に表示される。
【００６５】
図３の（３）は、（１）に示す各映像フレームの表示タイミングにそれぞれ対応する同期パルスＰ１、Ｐ２、Ｐ３、Ｐ４、Ｐ５、Ｐ６を含む第１同期信号を示す。この第１同期信号は、ディスプレイ装置１００での映像信号の処理時に、信号生成部１４０によって最初生成される。
【００６６】
もしシャッターめがね２００の光透過率が１００％である第１作動モード及び８０％である第２作動モードがあれば、ディスプレイ装置制御部１６０は、第１作動モードに対応する第１シンクパターン及び第２作動モードに対応する第２シンクパターンが既設定される。
【００６７】
図３の（４）は、第１同期信号が第１シンクパターンに従って変換された第２同期信号を示す。ディスプレイ装置制御部１６０は、映像信号の特性に従ってシャッターめがね２００が第１作動モードで動作しなければならないと判断すれば、第１シンクパターンを選択する。また、ディスプレイ装置制御部１６０は、第１シンクパターンに従って、第１同期信号の中で一部同期パルスＰ３、Ｐ４を略して第２同期信号を生成し、これをシャッターめがね２００に送信する。
【００６８】
シャッターめがね制御部２４０は、受信された第２同期信号のシンクパターンを分析して同期パルスＰ１乃至Ｐ６の中でＰ３、Ｐ４が省略されていることを確認し、このシンクパターンに対応する第１作動モードを選択し、省略されたＰ３、Ｐ４を復元してオン／オフ信号を生成する。生成されたオン／オフ信号は、図３の（１）に対応するタイミングを有する。
【００６９】
ここで、シャッターめがね制御部２４０が同期パルスＰ１乃至Ｐ６の中でＰ３、Ｐ４が省略されていることを確認する方法は、接した二つの同期パルスであるＰ１及びＰ２間の時間周期Ｎ１を算出し、このＮ１に対応するように設けられたシンクパターンを導出する構成が可能である。しかし、これは一実施形態に過ぎず、設計方式に従って多様な方法が適用されることができる。
【００７０】
一方、図３の（５）は、第１同期信号が第２シンクパターンに従って変換された第３同期信号を示す。
【００７１】
ディスプレイ装置制御部１６０は、映像信号の特性に従ってシャッターめがね２００が第２作動モードで動作しなければならないと判断すれば、第１シンクパターンと異なる第２シンクパターンを選択する。ディスプレイ装置制御部１６０は、第２シンクパターンに従って一部同期パルスＰ２、Ｐ４、Ｐ５、Ｐ６を略する。即ち、各シンクパターンに従って変換された同期信号は、同期パルスの省略が全体的に異なるパターンを示す。ディスプレイ装置制御部１６０は、このように生成された第３同期信号をシャッターめがね２００に送信する。
【００７２】
シャッターめがね制御部２４０は、受信される第３同期信号のシンクパターンを分析して同期パルスＰ１乃至Ｐ６中でＰ２、Ｐ４、Ｐ５、Ｐ６が省略されていることを判断する。ここで、シャッターめがね制御部２４０は、接した二つの同期パルスＰ１及びＰ３間の周期Ｎ２を算出し、これに基づいてシンクパターンを分析することができる。
【００７３】
シャッターめがね制御部２４０は、分析結果に基づいて、第２作動モードを選択し、省略された同期パルスＰ２、Ｐ４、Ｐ５、Ｐ６を復元してオン／オフ信号を生成する。
【００７４】
一方、シャッターめがね制御部２４０は、シャッターめがね通信部２１０に前述した第２同期信号または第３同期信号が受信される時、この同期信号の同期パルス幅に従って同期信号の正常可否またはノイズ可否を判断することができる。即ち、シャッターめがね制御部２４０は、受信される同期信号の同期パルス幅が既設定値ではない場合、該当の同期パルスを非正常的なことと判断し、正常な同期パルスに基づいて分析を行う。
【００７５】
このような分析は、所定時間の周期の間に同期パルスのパターンを分析することによって導出されることができる。
【００７６】
また、シャッターめがね制御部２４０は、シャッターめがね通信部２１０に受信される同期信号の波形変化、即ち同期パルスのシンクパターン変化をリアルタイムでモニタリングする。シャッターめがね制御部２４０は、受信される同期信号に波形変化が感知されれば、この変化された波形を分析して、分析された波形に対応する作動モードでシャッターめがね２００を移行させることができる。
【００７７】
一方、映像フレームの表示タイミングに対応する同期信号のシンクは、多様に具現されることができるので、これに対して図４を参照しながら説明する。
【００７８】
図４は、同期信号の具現方式を示す例示図である。
【００７９】
図４の（１）のように、映像フレームに対して時糸列的にそれぞれ対応する同期パルスを有する同期信号がある時、各同期パルスは、図４の（２）のようにイネーブル信号で現われたり、図４の（３）のようにキャリアパルス列で具現されることができる。
【００８０】
ここで、シャッターめがね通信部２１０に受信される同期信号が複数のキャリアパルス列が周期的に続くパターンを有する場合、シャッターめがね制御部２４０は、このキャリアパルス列のパターンを分析して、省略されたキャリアパルス列を復元し、対応作動モードを選択することができる。
【００８１】
ここで、前述した一つのキャリアパルス列は、連続される二つ乃至五つのパルスであることが好ましい。もし一つのキャリアパルス列が含むパルスが、二つより少なければノイズに脆弱になる危険があり、五つより多ければシャッターめがね２００の電力效率に不利になる。
【００８２】
一方、シャッターめがね制御部２４０は、左眼レンズ部２２０及び右眼レンズ部２３０の光透過率を制御するにおいて、オン／オフ信号の中でオンデューティー（On-duty）幅を調節し、この調節されたオン／オフ信号に従って作動を制御することによって左眼レンズ部２２０及び右眼レンズ部２３０の光透過率を調節することができる。ただ、これは一実施形態に過ぎず、本発明の思想を限定しない。
【００８３】
以下、本実施形態によるディスプレイ装置１００の制御方法に関して図５を参照して説明する。図５は、このような過程を示す制御フローチャートである。
【００８４】
図５に示すように、ディスプレイ装置１００に３次元映像信号が受信されれば（Ｓ１００）、ディスプレイ装置制御部１６０は、受信される映像信号特性に基づいてシャッターめがね２００の作動モードを選択する（Ｓ１１０）。
【００８５】
信号生成部１４０では、映像信号の各映像フレームに対応する同期パルスを有する１次的同期信号が生成される。ディスプレイ装置制御部１６０は、選択された作動モードに対応するパターンに従って、前述した１次的同期信号でシンクを略した同期信号を生成する（Ｓ１２０）。
【００８６】
ディスプレイ装置制御部１６０は、Ｓ１２０段階で生成した同期信号をシャッターめがね２００に送信し（Ｓ１３０）、３次元映像信号に基づいて３次元映像を表示するようにする（Ｓ１４０）。
【００８７】
以下、本実施形態によるシャッターめがね２００の制御方法に関して図６を参照して説明する。図６は、このような過程を示す制御フローチャートである。
【００８８】
図６に示すように、ディスプレイ装置１００から同期信号が受信されれば（Ｓ２００）、シャッターめがね制御部２４０は、受信される同期信号のシンクパターンを検出する（Ｓ２１０）。
【００８９】
シャッターめがね制御部２４０は、検出パターンに基づいて、省略されたシンクを復元してシャッター制御同期信号を生成し（Ｓ２２０）、この検出パターンに対応する作動モードを選択する（Ｓ２３０）。
【００９０】
シャッターめがね制御部２４０は、選択された作動モード及びシャッター制御同期信号に基づいて左眼レンズ部２２０及び右眼レンズ部２３０を作動させる（Ｓ２４０）。
【００９１】
シャッターめがね制御部２４０は、受信される同期信号のシンクパターン変化をモニタリングし、この同期信号のシンクパターンが変化すれば（Ｓ２５０）、前述したプロセスを行って左眼レンズ部２２０及び右眼レンズ部２３０を作動させる。
【００９２】
以上説明した実施形態によれば、ディスプレイ装置１００からシャッターめがね２００に送信する同期信号の同期パルスを既設定パターンに従って一部略して送信することによって、同期信号の周波数を低減させて他の通信機器との干渉及びシステムの負荷を減らしてノイズに対応することができる。
【００９３】
また、シャッターめがね２００は、受信される同期信号で省略された同期パルスを既設定パターンに従って復元するので、通信エラーによって一部同期パルスが受信されなくてもこれに備えることができる。
【００９４】
また、同期パルスのパターンをシャッターめがね２００の複数作動モードそれぞれに対応するようにすることによって、送信される同期信号内に別途のコードまたはデータを含まなくても、同期信号のパターンに従って作動モードを選択することができる。従って、同期信号の構成が簡単になる。
【００９５】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【図１】
0005976993.tif 000002
【図２】
0005976993.tif 000003
【図３】
0005976993.tif 000004
【図４】
0005976993.tif 000005
【図５】
0005976993.tif 000006
【図６】
0005976993.tif 000007